(57)【特許請求の範囲】
【請求項１】
内周面に軸方向に沿う螺旋状のブレードを設けたドラムがシャシー上に回転自在に搭載され、ドラムの後方開口部から投入された塵芥をドラムの正転時にブレードを介してドラム内前方に送り込み、ドラムの逆転時にドラム内の塵芥をブレードを介してドラム後方に送り出して開口部から外部に排出する塵芥収集車において、シャシー上に環状の支持枠を固定し、この支持枠にドラムの後部を回転自在に嵌合させ、更に支持枠の後部外面に板状のカバーを固定し、このカバーの下方側に塵芥投入口を設けると共に上方側に塵芥排出用の開口窓を形成したことを特徴とする塵芥収集車。
【請求項２】
支持枠が断面コ字状の枠体からなり、当該枠体内にドラムの後部に形成したリングを回転自在に嵌合させ、更に枠体の前部外面に押え板を介してシールを結合させている請求項１の塵芥収集車。
【発明の詳細な説明】
【０００１】
【発明の属する技術分野】
本発明は、一般の産業廃棄物又は街路樹の剪定で出された枝葉を破砕してドラム内に収容し、所定の場所で排出させる塵芥収集車に関する。
【０００２】
【従来の技術】
一般に、産業廃棄物や街路樹の枝葉をチップ状にした塵芥等を回収する塵芥収集車としてはシャシー上に回転ドラムを回転自在に搭載し、このドラムの内周面に軸方向に沿う螺旋状のブレードを設け、ドラムの正転時にドラムの後方開口部から投入した塵芥をブレードを介してドラムの前方に送り込んで多数収容させる。次いで、この塵芥を所定の廃棄物所まで搬送した後、この場所でドラムを逆転させることによりドラム内の塵芥をブレードを介して送り出し、ドラムの後方開口部から排出させるものが知られている。
【０００３】
他方、塵芥を破砕する破砕機付きのカバーをドラムの後部に設けたものとしては、例えば、特開平８−２２５１０１号公報に開示されたような塵芥収集車が開発されている。
【０００４】
この塵芥収集車は、回転ドラムをシャシー上にダンプ可能に結合し、又、このドラムには後方開口部に対向する破砕機付きのカバーを開閉自在に設けたものである。
【０００５】
この塵芥収集車は、破砕機で破砕した塵芥をブレードを介してドラム内に収容し、排出時にはカバーを開くとともにドラムをダンプしながらドラムの後方開口部から所定の場所に塵芥を排出するものである。
【０００６】
【発明が解決しようとする課題】
上記のようにドラムの後方開口部を開放したままの塵芥収集車は、ドラムの後方が開放されているため、ドラムの後方まで塵芥を収容するとこの塵芥が後方開口部からあふれ出てしまい、特に、車両の走行中に道路上等に落下するおそれがある。このことからドラム内に収容する塵芥はドラム内の後方開口部近くまで収容することができず、収容効率が悪くなる。更に、後方開口部から収容された塵芥の粉じんが外部に排出される不具合もある。
【０００７】
他方、破砕機付のカバーを設けた上記塵芥収集車は、ドラムの後方にカバーを設けたことにより収容した塵芥が外部にあふれ出ることが防止されるから塵芥の収容効率を高めることが出来る反面、塵芥の排出時にドラムをダンプさせる機構とカバーを開かせる機構が必要となり、構造が複雑となり、塵芥の排出作業が面倒でコストアップとなり、経済性において不利である。
【０００８】
そこで、本発明の目的は、塵芥のドラム内における収容効率を高めることができると共にドラムをダンプさせたり、カバーを開閉させる機構が不要となり、構造が簡単で作業性が良く、経済性にもすぐれている塵芥収集車を提供することである。
【０００９】
【課題を解決するための手段】
上記の目的を達成するため、本発明の手段は、内周面に軸方向に沿う螺旋状のブレードを設けたドラムがシャシー上に回転自在に搭載され、ドラムの後方開口部から投入された塵芥をドラムの正転時にブレードを介してドラム内前方に送り込み、ドラムの逆転時にドラム内の塵芥をブレードを介してドラム後方に送り出して開口部から外部に排出する塵芥収集車において、シャシー上に環状の支持枠を固定し、この支持枠にドラムの後部を回転自在に嵌合させ、更に支持枠の後部外面に板状のカバーを固定し、このカバーの下方側に塵芥投入口を設けると共に上方側に塵芥排出用の開口窓を形成したことを特徴とするものである。
【００１０】
この場合、支持枠が断面コ字状の枠体からなり、当該枠体内にドラムの後部に形成したリングを回転自在に嵌合させ、更に枠体の全部外面に押え板を介してシールを結合させているのが好ましい。
【００１１】
【発明の実施の形態】
以下に本発明の実施の形態を図にもとづいて説明するが、本発明に係る塵芥収集車は、街路樹の剪定で出された枝葉を破砕機でチップ状に破砕し、これをドラム内にブレードを介して送って収容し、更に所定の廃棄場所まで輸送した後に排出させるのに適しているが、同じように破砕機で一般の産業廃棄物を破砕して同様にドラム内に収容し、更に排出させる場合にも使用可能である。
【００１２】
本発明に係る塵芥収集車は、図１に示すように、車両Ａのシャシー１にローラ２を介して正転方向又は逆転方向に回転自在に搭載した貯留ドラム３を備え、ドラム３内には公知のドラムと同じように内周面に軸方向に沿う螺旋状のブレードが設けられている。
【００１３】
ドラム３の後方開口部には固定カバー４が対向して設けられている。固定カバー４には後述するように、塵芥投入口と塵芥排出用の開口窓が形成されている。塵芥投入口に破砕機を設け、この破砕機に対向して蓋とガイドを兼ねたシュート５を設けたホッパー６が設けられ、更に、塵芥排出用の開口窓に対向してフローガイド７が設けられている。
【００１４】
これにより、例えば、街路樹を剪定した枝葉を蓋５を開いてホッパー６内に押し込み、これを破砕機でチップ状に破砕した後にドラム３を正転させながら投入口よりドラム３内にブレードを介して収容された塵芥は所定場所まで輸送された後、ドラム３を逆転し、ブレードで開口窓側に送り出され、次いでフローガイド７を介して外部に排出されるようになっている。
【００１５】
以下、図２乃至図４にもとづいて各機構の構造を詳細に説明すると、車両Ａのシャシー１には一対のローラ２，２が設けられ、このローラ２，２上に支持リング８を介してドラム３が正転方向，逆転方向に回転自在に搭載されている。
【００１６】
ドラム３は、公知のようにその内周面に軸方向に沿う螺旋状のブレード９が設けられ、このブレード９がドラム３の回転時に塵芥を前方又は後方に送るようにしている。
【００１７】
ドラム３の後方開口部１０の中央にはブレード１１を内周に備えたシートパイプ１２が一体に設けられている。シャーシ１にはこれに直交するブラケット１３が固定され、このブラケット１３には環状の支持枠１４がブラケット１５，１５を介して固定されている。支持枠１４は、二つに分割された断面コ字状の枠体１４ａからなり、この枠体１４ａ内にドラム３の後部に形成した突状リング１６を回転自在に嵌合させている。
【００１８】
枠体１４ａの前方外面にはゴム等からなる環状シール１７が止め具と環状の押え板１８を介して固定され、ドラム３内の粉じん等が外部に漏れないようにしている。
【００１９】
枠体１４ａの後方外面にはドラム３の開口部１０に対向する板状の固定カバー４をボルト等の止め具を介して固定し、この固定カバー４でドラム３の開口部１０を封じている。
【００２０】
固定カバー４には下方の塵芥投入口１９と左側上方の塵芥排出用の開口窓２０と、上方ののぞき窓２１とを形成し、それぞれドラム３内に対向させている。のぞき窓２１はドラム３内を点検する開口部であり、通常はキヤップ２２で閉じられている。
【００２１】
塵芥投入口１９内には上下二つのスクレバー２３を備えた枠体２４が挿入して結合され、枠体２４の外周には押え板２５で支持されたシール２６が配設されている。更にスクレバー２３より後方には上下２枚のカッター２７，２８を設けた破砕機２９が配設されている。破砕機２９は、枠体３０と枠体３０内の上下に設けたカッター２７，２８とカッター２７，２８の軸を回転駆動するモータ３１とからなり、枠体３０はシャシー１上に固定されている。
【００２２】
更に破砕機２９の後方にはこれに対向してホッパー６が起伏自在に設けられている。この為、剪定された枝葉等がシュート５よりホツパー６から手動等で破砕機２９に押し込まれるとこの破砕機２９のカッター２７，２８がこの枝葉をチップ状に破砕してスクレバー２３側に押し出し、スクレバー２３上のチップは、次々と投入口１９を介してシートパイプ１２内に送り込まれ、更にドラム３の正転に伴ってブレード９によりドラム３の前方に圧縮されながら収容される。
【００２３】
ホッパー６は、先細の筒部本体３２と、筒部本体３２の前方に形成した開口部３３と後方に形成した開口部３４と、筒部本体３２の後端下部にヒンジ３５を介して回転自在に結合した蓋とガイドを兼ねたシュート５とから構成されている。ホッパー６は、通常シャシー１側に起立する支柱Ｐに対してブラケットｂを介して結合されている。
【００２４】
更に、ホッパー６の筒部本体３２の下面にはブラケット３６が下方に向けて設けられ、このブラケット３６はシャシー１上に設けた脚３７に回転自在にヒンジ結合され、これによりホッパー６全体が起伏自在にシャシー１に取付けられている。
【００２５】
ホッパー６は、破砕機２９に対向して設けても良いが破砕機２９とを点検する都合上起伏自在に設け、点検時ホッパー６を後方に回転させて破砕機２９を見ることができるようにしている。
【００２６】
更に、ホッパー６の筒部本体３２は短かくても良いが、剪定された枝のように一般の塵芥より長い塵芥の場合にはホッパー６からはみ出してしまうおそれがある為、この筒部本体３２を長くするのが好ましい。
【００２７】
ところが、逆にこの筒部本体３２が長くなると手動で枝等を破砕機２９側に押し込む際に手が届かなくなる不具合がある。そこで本発明では、筒部本体３２を短く成形すると共にこの筒部本体３２にシュート５をヒンジ結合させ、通常はこのシュート５で筒部本体３２の入口を封じると共に枝等を差し込む場合には図４に示すようにシュート５を水平位置まで回転し、このシュート５をガイドとして利用して枝等を案内させ、枝等が地上に落下しないようにしている。又、枝等を必要に応じて筒部本体３２内に押し込む場合には筒部本体３２が短かい分手動で奥深くまで押し込むことができる。
【００２８】
次に、フローガイド７は、開口部３８を備えた長方形状の枠体３９と、枠体３９の下部に斜め下方に向けて設けたシュート４０と、枠体３９とシュート４０とを覆って固定したハウジング４１と、ハウジング４１の上部に設けたのぞき窓用の蓋４２とで構成され、更にハウジング４１の下部にヒンジを介して排出用のシュートを兼ねた蓋４３を設けている。
【００２９】
枠体３９は、固定カバー４の外面に固定し、開口部３８を固定カバー４の開口窓２０に対向させている。これにより蓋４３をヒンジを介して下方に回転して開いておき、ドラム３を逆転させた時ドラム３内のチップ等の塵芥がブレード９で押し出され、開口窓２０−開口部３８−シュート４０−蓋４３を介して外部に排出される。
【００３０】
フローガイド７に蓋４３を設けておくことによりチップ等をスムースに且つ均一に排出できると共に蓋４３の長さ分車両の後方にチップ等を導き出すことが可能となり、蓋４３の長さ分、例えば、大きな穴等からなる塵芥廃棄場所の縁から遠くの位置に車両を停車できる。従って、この停車位置で蓋４３を介してチップ等を排出できるのであやまって車両が穴にすべり落ちる等の危険を防止できる。
【００３１】
更に、ハウジング４１は塵芥の粉じん等が外部に飛散するのを防止できる効果があり、外観上も好ましいものである。
【００３２】
【発明の効果】
本発明によれば、次の効果がある。
【００３３】
(1) 各請求項の発明によれば、ドラムの後方開口部に対向する板状のカバーを固定したので、ドラム内に収容した塵芥の粉じんが外部に飛散するのが防止される。又ドラムの後方開口部近くまで収容された塵芥はこの固定カバーで支えられるのでドラムの開口部から塵芥が外部にあふれ出るのが防止され、固定カバーの位置まで塵芥を収容できるので収容効率を著しく向上できる。
【００３４】
(2) 同じく、カバーにはその上方に塵芥排出用の開口窓を形成しているので、ドラムの逆転時にブレードで押し出された塵芥がこの開口窓から外部に排出できるので、わざわざカバーを開いたり、ドラムをダンプさせる必要が無い。この為カバーを開閉する機械やドラムをダンプさせる機構が必要でなく、構造が簡単であり、コストダウンを図れる。又カバーを開閉したり、ドラムをダンプさせる必要がなくなるから塵芥の投入，排出の作業性が著しく向上する。
【００３５】
(3) 同じく、カバーにはその上方側に開口窓を形成しているので、塵芥を高い位置から排出でき、一度に多量の塵芥を同じ位置に排出できる。即ち、開口窓から地上までの距離を長くでき、地上に山盛となった塵芥がすぐ開口窓近くまで盛り上がるのをさけることができる。
【００３６】
(4) 請求項２の発明によれば、ドラムを回転自在に支持する枠体がシールで封じられているから塵芥による粉じん等の漏れを防止できる。
【図面の簡単な説明】
【図１】本発明に係る塵芥収集車の斜視図である。
【図２】本発明に係る塵芥収集車の分解斜視図である。
【図３】図１の塵芥収集車におけるカバ一部の拡大背面図である。
【図４】図１の塵芥収集車におけるホッパー部の拡大正面図である。
【符号の説明】
１  シャシー
３  ドラム
４  カバー
９  ブレード
１０  開口部
１４  支持枠
１４ａ  枠体
１６  リング
１７  シール
１８  押え板
１９  塵芥投入口
２０  開口窓
【図１】
0004146604.tif 000002
【図２】
0004146604.tif 000003
【図３】
0004146604.tif 000004
【図４】
0004146604.tif 000005